(57)【要約】【課題】第１室内熱交換器及び第２室内熱交換器が同一の室内ユニットに設けられた空気調和装置において、第１室内熱交換器が放熱器となって第２室内熱交換器が蒸発器となる冷凍サイクルを行う際に、室内へ供給する空気の風量を変化させることなく、室内へ供給する空気の温度を調節可能に構成する。【解決手段】冷媒回路（20）に、第１室内熱交換器（51）の液側と第２室内熱交換器（52）の液側とを接続する第３ライン（103）と、圧縮機（14）と第３ライン（103）とを接続する第４ライン（104）とが設けられている。第４ライン（104）には、室外熱交換器（15）と流量調節機構（41）とが設けられている。第１室内熱交換器（51）が放熱器として動作して第２室内熱交換器（52）が蒸発器として動作する除湿動作中に、室外熱交換器（15）の冷媒の流通状態は、流量調節機構（41）によって調節される。【選択図】図１
2010156513.tif 000002
【特許請求の範囲】
【請求項１】
圧縮機（14）と室外熱交換器（15）と第１室内熱交換器（51）と第２室内熱交換器（52）とが接続されて、冷凍サイクルを行う冷媒回路（20）を備え、
上記第１室内熱交換器（51）と上記第２室内熱交換器（52）とが同一の室内ユニット（50）に設けられ、
上記室内ユニット（50）は、上記第２室内熱交換器（52）を通過した後に上記第１室内熱交換器（51）を通過した空気が吹出口（58）から吹き出されるように、又は上記第１室内熱交換器（51）を通過した空気と上記第２室内熱交換器（52）を通過した空気とが合流して吹出口（58）から吹き出されるように、構成されている空気調和装置であって、
上記冷媒回路（20）には、上記第１室内熱交換器（51）のガス側を上記圧縮機（14）の吐出側に連通させる第１状態と該第１室内熱交換器（51）のガス側を該圧縮機（14）の吸入側に連通させる第２状態とが切り換え可能に構成された第１ライン（101）と、上記第２室内熱交換器（52）のガス側を上記圧縮機（14）の吐出側に連通させる第１状態と該第２室内熱交換器（52）のガス側を該圧縮機（14）の吸入側に連通させる第２状態とが切り換え可能に構成された第２ライン（102）と、上記第１室内熱交換器（51）の液側と上記第２室内熱交換器（52）の液側とを接続する第３ライン（103）と、上記室外熱交換器（15）が設けられて上記圧縮機（14）と上記第３ライン（103）とを接続する第４ライン（104）とが設けられ、
上記冷媒回路（20）では、上記第１ライン（101）を第１状態に設定すると共に上記第２ライン（102）を第２状態に設定することによって、上記第１室内熱交換器（51）が放熱器として動作して上記第２室内熱交換器（52）が蒸発器として動作する除湿動作が行われ、
上記第４ライン（104）には、上記除湿動作中の室外熱交換器（15）の冷媒流量を調節するための流量調節機構（41）が設けられていることを特徴とする空気調和装置。
【請求項２】
請求項１において、
上記第４ライン（104）は、上記室外熱交換器（15）のガス側を上記圧縮機（14）の吐出側に連通させる第１状態と、該室外熱交換器（15）のガス側を該圧縮機（14）の吸入側に連通させる第２状態とが切り換え可能に構成されていることを特徴とする空気調和装置。
【請求項３】
請求項１又は２において、
上記冷媒回路（20）では、上記第２室内熱交換器（52）に上記除湿動作中に付着した氷を融解させる場合に、上記第１ライン（101）を第２状態に切り換えると共に上記第２ライン（102）を第１状態に切り換えることによって、上記第２室内熱交換器（52）が放熱器として動作して上記第１室内熱交換器（51）が蒸発器として動作する氷融解除湿動作が行われることを特徴とする空気調和装置。
【請求項４】
請求項１乃至３の何れか１つにおいて、
上記第３ライン（103）には、上記除湿動作中に上記第１室内熱交換器（51）で冷却された冷媒を、上記室内ユニット（50）外の空気との熱交換によってさらに冷却する冷却熱交換器（71）が設けられていることを特徴とする空気調和装置。
【請求項５】
請求項１乃至４の何れか１つにおいて、
上記第１ライン（101）を上記第１状態と上記第２状態とに切り換える第１切換手段（31）と、上記第２ライン（102）を上記第１状態と上記第２状態とに切り換える第２切換手段（32）とは、上記圧縮機（14）と上記室外熱交換器（15）が設けられた室外ユニット（10）に設けられていることを特徴とする空気調和装置。
【発明の詳細な説明】
【技術分野】
【０００１】
本発明は、第１室内熱交換器及び第２室内熱交換器が同一の室内ユニットに設けられて、第１室内熱交換器が放熱器として動作して第２室内熱交換器が蒸発器として動作する冷凍サイクルを行う空気調和装置に関するものである。
【背景技術】
【０００２】
従来より、第１室内熱交換器及び第２室内熱交換器が同一の室内ユニットに設けられた空気調和装置が知られている。特許文献１には、このような空気調和装置が開示されている。
【０００３】
具体的に、特許文献１には、除湿運転時に、室外熱交換器および第１室内熱交換器が凝縮器として動作し、第２室内熱交換器が蒸発器として動作する冷凍サイクルが行われる空気調和装置が記載されている。この空気調和装置の除湿運転では、圧縮機で圧縮された冷媒が、室外熱交換器で凝縮した後に、さらに第１室内熱交換器でも凝縮する。そして、第１室内熱交換器で凝縮した冷媒は、室内膨張弁で減圧された後に、第２室内熱交換器で蒸発する。除湿運転では、第１室内熱交換器で加熱された空気と、第２室内熱交換器で冷却されて除湿された空気とが、合流した後に室内へ供給される。
【特許文献１】特開２００２−２４３３０７号公報
【発明の開示】
【発明が解決しようとする課題】
【０００４】
ところで、この種の空気調和装置では、第１室内熱交換器が放熱器として動作して第２室内熱交換器が蒸発器として動作する除湿動作において、室内へ供給する空気の温度を調節するためには、第１室内熱交換器における放熱量と第２室内熱交換器における吸熱量とのバランスを調節する必要がある。しかし、従来の空気調和装置では、このバランスを調節するために、室外熱交換器における放熱量と第１室内熱交換器における放熱量とのバランスを調節する必要があり、室外熱交換器を通過する空気の風量と第１室内熱交換器を通過する空気の風量とを、連動させて調節する必要があった。従って、室内へ供給する空気の風量が変化してしまうという問題があった。
【０００５】
本発明は、かかる点に鑑みてなされたものであり、その目的は、第１室内熱交換器及び第２室内熱交換器が同一の室内ユニットに設けられた空気調和装置において、第１室内熱交換器が放熱器となって第２室内熱交換器が蒸発器となる冷凍サイクルを行う際に、室内へ供給する空気の風量を変化させることなく、室内へ供給する空気の温度を調節可能に構成することにある。
【課題を解決するための手段】
【０００６】
第１の発明は、圧縮機（14）と室外熱交換器（15）と第１室内熱交換器（51）と第２室内熱交換器（52）とが接続されて、冷凍サイクルを行う冷媒回路（20）を備え、上記第１室内熱交換器（51）と上記第２室内熱交換器（52）とが同一の室内ユニット（50）に設けられ、上記室内ユニット（50）は、上記第２室内熱交換器（52）を通過した後に上記第１室内熱交換器（51）を通過した空気が吹出口（58）から吹き出されるように、又は上記第１室内熱交換器（51）を通過した空気と上記第２室内熱交換器（52）を通過した空気とが合流して吹出口（58）から吹き出されるように、構成されている空気調和装置（1）を対象とする。
【０００７】
そして、この空気調和装置（1）は、上記冷媒回路（20）に、上記第１室内熱交換器（51）のガス側を上記圧縮機（14）の吐出側に連通させる第１状態と該第１室内熱交換器（51）のガス側を該圧縮機（14）の吸入側に連通させる第２状態とが切り換え可能に構成された第１ライン（101）と、上記第２室内熱交換器（52）のガス側を上記圧縮機（14）の吐出側に連通させる第１状態と該第２室内熱交換器（52）のガス側を該圧縮機（14）の吸入側に連通させる第２状態とが切り換え可能に構成された第２ライン（102）と、上記第１室内熱交換器（51）の液側と上記第２室内熱交換器（52）の液側とを接続する第３ライン（103）と、上記室外熱交換器（15）が設けられて上記圧縮機（14）と上記第３ライン（103）とを接続する第４ライン（104）とが設けられ、上記冷媒回路（20）では、上記第１ライン（101）を第１状態に設定すると共に上記第２ライン（102）を第２状態に設定することによって、上記第１室内熱交換器（51）が放熱器として動作して上記第２室内熱交換器（52）が蒸発器として動作する除湿動作が行われ、上記第４ライン（104）には、上記除湿動作中の室外熱交換器（15）の冷媒流量を調節するための流量調節機構（41）が設けられている。
【０００８】
第１の発明では、除湿動作において、圧縮機（14）で圧縮された冷媒が、第１ライン（101）を流れて第１室内熱交換器（51）に流入し、第１室内熱交換器（51）で放熱する。第１室内熱交換器（51）で放熱した冷媒は、第３ライン（103）を流れて、第２室内熱交換器（52）に流入し、第２室内熱交換器（52）で蒸発する。そして、第２室内熱交換器（52）で蒸発した冷媒は、第２ライン（102）を流れて、圧縮機（14）に吸入されて圧縮される。
【０００９】
ここで、室外熱交換器（15）は、圧縮機（14）と第３ライン（103）とを接続する第４ライン（104）に配置されている。このため、第４ライン（104）が圧縮機（14）の吐出側に接続されている場合には、圧縮機（14）から吐出された冷媒の一部が、室外熱交換器（15）で放熱する。この場合、室外熱交換器（15）の冷媒流量に応じて、第１室内熱交換器（51）における放熱量が変化するが、第２室内熱交換器（52）における吸熱量はそれほど変わらない。一方、第４ライン（104）が圧縮機（14）の吸入側に接続されている場合には、第１室内熱交換器（51）から第２室内熱交換器（52）に向かう冷媒の一部が、室外熱交換器（15）で蒸発する。この場合、第１室内熱交換器（51）における放熱量はそれほど変わらず、室外熱交換器（15）の冷媒流量に応じて、第２室内熱交換器（52）における吸熱量が変化する。何れの場合においても、除湿動作中に、第４ライン（104）の流量調節機構（41）によって室外熱交換器（15）の冷媒の流通状態を調節することで、第１室内熱交換器（51）の冷媒流量と第２室内熱交換器（52）の冷媒流量とのバランスが調節され、第１室内熱交換器（51）における放熱量と第２室内熱交換器（52）における吸熱量とのバランスが調節される。そして、吹出口（58）から室内へ供給する空気の温度が調節される。
【００１０】
第２の発明は、上記第１の発明において、上記第４ライン（104）は、上記室外熱交換器（15）のガス側を上記圧縮機（14）の吐出側に連通させる第１状態と、該室外熱交換器（15）のガス側を該圧縮機（14）の吸入側に連通させる第２状態とが切り換え可能に構成されている。
【００１１】
第２の発明では、除湿動作中に第４ライン（104）が第１状態に設定されると、圧縮機（14）から吐出された冷媒が、室外熱交換器（15）と第１室内熱交換器（51）のそれぞれで放熱し、第２室内熱交換器（52）で蒸発する。この場合、第２室内熱交換器（52）における吸熱量はそれほど変わらず、第１室内熱交換器（51）における放熱量が減少する。一方、除湿動作中に第４ライン（104）が第２状態に設定されると、第１室内熱交換器（51）で放熱した冷媒が、室外熱交換器（15）と第２室内熱交換器（52）のそれぞれで蒸発し、圧縮機（14）に吸入される。この場合、第１室内熱交換器（51）における放熱量はそれほど変わらず、第２室内熱交換器（52）における吸熱量が減少する。この第２の発明では、除湿動作中に第４ライン（104）の状態を調節することで、第１室内熱交換器（51）における放熱量が第２室内熱交換器（52）における吸熱量よりも多くなるように調節することと、第１室内熱交換器（51）における放熱量が第２室内熱交換器（52）における吸熱量よりも少なくなるように調節することの両方が可能になる。
【００１２】
第３の発明は、上記第１又は第２の発明において、  上記冷媒回路（20）では、上記第２室内熱交換器（52）に上記除湿動作中に付着した氷を融解させる場合に、上記第１ライン（101）を第２状態に切り換えると共に上記第２ライン（102）を第１状態に切り換えることによって、上記第２室内熱交換器（52）が放熱器として動作して上記第１室内熱交換器（51）が蒸発器として動作する氷融解除湿動作が行われる。
【００１３】
第３の発明では、除湿動作中に第２室内熱交換器（52）に付着した氷を融解させる場合に、除湿動作から氷融解除湿動作に切り換えられる。氷融解除湿動作では、第２ライン（102）を第１状態に切り換えることによって、第２室内熱交換器（52）に圧縮機（14）から吐出された高圧の冷媒が導入される。その結果、第２室内熱交換器（52）に付着した氷が融解する。また、第１ライン（101）を第２状態に切り換えることによって、それまで放熱器として動作していた第１室内熱交換器（51）が蒸発器として動作する。その結果、吹出口（58）からは第１室内熱交換器（51）で除湿された空気が吹き出される。この第３の発明では、除湿動作中に第２室内熱交換器（52）に付着した氷を融解させるために、ただ単に第２ライン（102）を第１状態に切り換えるだけでは、室内空気を除湿する役割の蒸発器が室内ユニット（50）に存在しない状態になる。このため、第２ライン（102）の切り換えに連動して、第１ライン（101）を第２状態に切り換えて、第１室内熱交換器（51）が蒸発器として動作するようにしている。
【００１４】
第４の発明は、上記第１乃至第３の何れか１つの発明において、上記第３ライン（103）には、上記除湿動作中に上記第１室内熱交換器（51）で冷却された冷媒を、上記室内ユニット（50）外の空気との熱交換によってさらに冷却する冷却熱交換器（71）が設けられている。
【００１５】
第４の発明では、除湿動作中に、第１室内熱交換器（51）で冷却された冷媒が、冷却熱交換器（71）でさらに冷却される。冷却熱交換器（71）では冷媒の冷却に伴って冷媒の体積が減少するので、冷凍サイクルの高圧圧力が増大することが抑制される。この第４の発明では、冷却熱交換器（71）において、室外ユニット（10）外の空気によって冷媒が冷却される。従って、室内空気の温度に影響を与えることなく、冷凍サイクルの高圧圧力が増大することが抑制される。
【００１６】
第５の発明は、上記第１乃至第４の何れか１つの発明において、上記第１ライン（101）を上記第１状態と上記第２状態とに切り換える第１切換手段（31）と、上記第２ライン（102）を上記第１状態と上記第２状態とに切り換える第２切換手段（32）とは、上記圧縮機（14）と上記室外熱交換器（15）が設けられた室外ユニット（10）に設けられている。
【００１７】
第５の発明では、第１切換手段（31）と第２切換手段（32）とが、圧縮機（14）と室外熱交換器（15）が設けられた室外ユニット（10）に設けられている。２つの切換手段（31,32）は、圧縮機（14）がある方の室外ユニット（10）に設けられている。
【発明の効果】
【００１８】
本発明では、除湿動作中に、室外熱交換器（15）の冷媒の流通状態を調節することで、第１室内熱交換器（51）の冷媒流量と第２室内熱交換器（52）の冷媒流量とのバランスが調節され、第１室内熱交換器（51）における放熱量と第２室内熱交換器（52）における吸熱量とのバランスが調節されて、吹出口（58）から室内へ供給する空気の温度が調節されるようにしている。従って、室内熱交換器（51,52）を通過する空気の風量を調節する必要がないので、室内へ供給する空気の風量を変化させることなく、室内へ供給する空気の温度を調節することが可能になる。
【００１９】
また、従来の空気調和装置では、室内へ供給する空気の温度を調節するのに、２つの制御対象を連動させて調節する必要があった。このため、室内へ供給する空気の温度の調節が比較的難しい制御になっていた。これに対して、本発明では、室外熱交換器（15）の冷媒の流通状態を調節するだけで、室内へ供給する空気の温度を調節することができる。従って、２つの制御対象を連動させる従来の空気調和装置に比べて、室内へ供給する空気の温度の調節を容易化することができる。
【００２０】
また、上記第２の発明によれば、除湿動作中に第４ライン（104）の状態を切り換えることで、第１室内熱交換器（51）における放熱量が第２室内熱交換器（52）における吸熱量よりも多くなるように調節することと、第１室内熱交換器（51）における放熱量が第２室内熱交換器（52）における吸熱量よりも少なくなるように調節することの両方が可能になるようにしている。従って、除湿動作中の室内ユニット（50）内では、吹出口（58）へ向かう空気の温度を上昇させることも低下させることも可能であるため、除湿動作中に室内へ供給する空気の温度の調節幅を拡大することができる。
【００２１】
また、上記第３の発明では、除湿動作において第２室内熱交換器（52）に付着した氷を融解させるために、ただ単に第２ライン（102）を第１状態に切り換えるだけでは、室内空気を除湿する役割の蒸発器が室内ユニット（50）に存在しない状態になるので、さらに第１ライン（101）を第２状態に切り換えて、第１室内熱交換器（51）が蒸発器として動作するようにしている。このため、除湿動作中に第２室内熱交換器（52）に付着した氷を融解させる場合であっても、除湿を行うことができる氷融解除湿動作に切り換えることで、室内の除湿を継続することが可能である。
【００２２】
また、上記第４の発明によれば、室内空気の温度に影響を与えることなく、冷凍サイクルの高圧圧力が増大することを抑制することが可能である。従って、室内空気の温度に影響を与えることなく、安定した冷凍サイクルを行うことが可能である。
【００２３】
また、上記第５の発明では、第１切換手段（31）と第２切換手段（32）が、圧縮機（14）がある方の室外ユニット（10）に設けられている。ここで、従来より、冷媒回路に複数の室内ユニットが設けられ、各室内ユニットに対して、室内熱交換器のガス側の連通先を圧縮機の吐出側と吸入側とで切り換える切換手段がそれぞれ設けられた空気調和装置が知られている。このような空気調和装置では、各室内ユニット（50）の運転状態を冷房運転と暖房運転で個別に切り換えるために、各切換手段が用いられるので、各切換手段は、室外ユニット（10）ではなく、室内ユニット（50）、又はその近傍に設けられる。これに対して、この第５の発明では、１つの室内ユニット（50）の運転状態を切り換えるために第１切換手段（31）および第２切換手段（32）が用いられるので、第１切換手段（31）の切り換えおよび第２切換手段（32）の切り換えとが、連動して制御される場合がある。このため、第１切換手段（31）および第２切換手段（32）を同じ室外ユニット（10）に配置する方が制御上便利であり、配線等を簡素化することができる。さらに、第１切換手段（31）および第２切換手段（32）を、室内ユニット（50）ではなく、圧縮機（14）がある室外ユニット（10）に配置しているので、配管長を短くすることができる。
【発明を実施するための最良の形態】
【００２４】
以下、本発明の実施形態を図面に基づいて詳細に説明する。
【００２５】
《発明の実施形態１》
本発明の実施形態１について説明する。本実施形態１は、本発明に係る空気調和装置（1）である。空気調和装置（1）は、ビニールハウス内の空調を行うハウス栽培用の空調機として構成されている。
【００２６】
空気調和装置（1）は、図１に示すように、冷凍サイクルを行う冷媒回路（20）を備えている。冷媒回路（20）には、室外ユニット（10）に設けられた室外回路（11）と、室内ユニット（50）に設けられた室内回路（55）とが設けられている。室外回路（11）と室内回路（55）の間は、４本の連絡配管（61-64）で接続されている。４本の連絡配管（61-64）は、第１液側連絡配管（61）、第２液側連絡配管（62）、第１ガス側連絡配管（63）、及び第２ガス側連絡配管（64）から構成されている。第１液側連絡配管（61）および第２液側連絡配管（62）の途中には、冷却ユニット（70）が設けられている。
【００２７】
《室外ユニット》
室外ユニット（10）の室外回路（11）には、圧縮機（14）と室外熱交換器（15）とレシーバ（16）と中間熱交換器（17）とが設けられている。また、室外回路（11）には、冷媒を減圧するための機器として、室外膨張弁（41）と注入側膨張弁（42）とが設けられている。また、室外回路（11）には、冷媒の循環方向を切り換えるための機器として、第１切換手段（31）を構成する第１四路切換弁（31）と、第２切換手段（32）を構成する第２四路切換弁（32）と、第３切換手段（33）を構成する第３四路切換弁（33）とが設けられている。
【００２８】
圧縮機（14）は、その運転容量が可変に構成されている。圧縮機（14）は、インバータの出力周波数を変化させることによって、その運転容量が段階的に調節される。圧縮機（14）は、例えばスクロール式の圧縮機により構成されている。なお、室外回路（11）に設ける圧縮機（14）の台数は、２台以上であってもよい。この場合、複数台の圧縮機（14）は、互いに並列に接続され、１台だけが運転容量が可変の圧縮機（インバータ圧縮機）により構成され、それ以外が運転容量が固定の圧縮機（一定速度の圧縮機）により構成される。
【００２９】
圧縮機（14）の吐出側には、吐出合流管（34）が接続されている。吐出合流管（34）は、第１吐出分岐管（35）と第２吐出分岐管（36）と第３吐出分岐管（37）とに分岐している。第１吐出分岐管（35）は第１四路切換弁（31）に接続され、第２吐出分岐管（36）は第２四路切換弁（32）に接続され、第３吐出分岐管（37）は第３四路切換弁（33）に接続されている。
【００３０】
圧縮機（14）の吸入側には、吸入合流管（44）が接続されている。吸入合流管（44）は、第１吸入分岐管（45）と第２吸入分岐管（46）と第３吸入分岐管（47）に分岐している。第１吸入分岐管（45）は第１四路切換弁（31）に接続され、第２吸入分岐管（46）は第２四路切換弁（32）に接続され、第３吸入分岐管（47）は第３四路切換弁（33）に接続されている。
【００３１】
室外熱交換器（15）は、クロスフィン式のフィン・アンド・チューブ型熱交換器により構成されている。室外熱交換器（15）の近傍には、室外熱交換器（15）に室外空気を送るための室外ファン（18）が設けられている。室外熱交換器（15）では、冷媒と室外空気との間で熱交換が行われる。
【００３２】
室外熱交換器（15）のガス側は、第３四路切換弁（33）に接続されている。室外熱交換器（15）の液側は、互いに並列に設けられた第１液管（21）及び第２液管（22）を介して、レシーバ（16）の頂部に接続されている。第１液管（21）には、室外熱交換器（15）側から順番に、開閉自在の電磁弁（SV2）と、逆止弁（CV1）とが設けられている。第２液管（22）には、室外熱交換器（15）側から順番に、開度可変の電子膨張弁により構成された室外膨張弁（41）と、逆止弁（CV2）が設けられている。逆止弁（CV1）と逆止弁（CV2）は、室外熱交換器（15）へ向かう冷媒の流れを禁止する。
【００３３】
レシーバ（16）は、密閉容器状に構成されている。レシーバ（16）では、室外熱交換器（15）等で凝縮した高圧冷媒が一時的に貯留される。レシーバ（16）の頂部には、第１液管（21）に加えて、開閉自在の電磁弁（SV3）が設けられたガス抜き管（26）が接続されている。ガス抜き管（26）は後述するインジェクション管（30）に接続されている。また、レシーバ（16）の底部には、第３液管（23）が接続されている。
【００３４】
第３液管（23）には、レシーバ（16）側から順番に、中間熱交換器（17）と逆止弁（CV3）とが設けられている。逆止弁（CV3）は、レシーバ（16）へ向かう冷媒の流れを禁止する。第３液管（23）は、レシーバ（16）側とは逆側が、第１液側閉鎖弁（28）に接続された第１分岐管（23a）と、第２液側閉鎖弁（29）に接続された第２分岐管（23b）とに分岐している。第１分岐管（23a）には、第１分岐管（23a）と第２分岐管（23b）の分岐箇所へ向かう冷媒の流れを禁止する逆止弁（CV4）が設けられている。
【００３５】
また、第３液管（23）からは、第４液管（24）とインジェクション管（30）とがそれぞれ分岐している。第４液管（24）は、第２液管（22）における室外膨張弁（41）と逆止弁（CV2）との間に接続されている。第４液管（24）には、第３液管（23）へ向かう冷媒の流れを禁止する逆止弁（CV5）が設けられている。インジェクション管（30）は、圧縮機（14）における圧縮過程の途中の中間圧の圧縮室に接続されている。インジェクション管（30）には、開度可変の電子膨張弁により構成された注入側膨張弁（42）と、開閉自在の電磁弁（SV1）とが設けられている。
【００３６】
また、第１分岐管（23a）からは、第５液管（25）が分岐している。第５液管（25）は、第１液管（21）における逆止弁（CV1）とレシーバ（16）との間に接続されている。第５液管（25）には、第１分岐管（23a）へ向かう冷媒の流れを禁止する逆止弁（CV6）が設けられている。
【００３７】
中間熱交換器（17）は、第１流路を流通する冷媒と第２流路を流通する冷媒とを熱交換させるように構成されている。中間熱交換器（17）は、例えばプレート式の熱交換器により構成されている。中間熱交換器（17）では、第１流路が第３液管（23）に接続され、第２流路がインジェクション管（30）における注入側膨張弁（42）と圧縮機（14）の間に接続されている。中間熱交換器（17）における熱交換では、第３液管（23）の高圧の冷媒がインジェクション管（30）の中間圧の冷媒によって冷却される。
【００３８】
第１四路切換弁（31）は、第１ポート（P1）が第１吸入分岐管（45）に、第２ポート（P2）が第１吐出分岐管（35）に、第４ポート（P4）が第１ガス側閉鎖弁（38）にそれぞれ接続されている。第１四路切換弁（31）の第３ポート（P3）は、閉塞された閉鎖ポートにより構成されている。
【００３９】
また、第２四路切換弁（32）は、第１ポート（P1）が第２吸入分岐管（46）に、第２ポート（P2）が第２吐出分岐管（36）に、第４ポート（P4）が第２ガス側閉鎖弁（39）にそれぞれ接続されている。第２四路切換弁（32）の第３ポート（P3）は、閉塞された閉鎖ポートにより構成されている。
【００４０】
また、第３四路切換弁（33）は、第１ポート（P1）が第３吐出分岐管（37）に、第２ポート（P2）が第３吸入分岐管（47）に、第３ポート（P3）が室外熱交換器（15）にそれぞれ接続されている。第３四路切換弁（33）の第４ポート（P4）は、閉塞された閉鎖ポートにより構成されている。
【００４１】
第１乃至第３の各四路切換弁（31-33）は、第１ポート（P1）と第３ポート（P3）が互いに連通して第２ポート（P2）と第４ポート（P4）が互いに連通する第１連通状態（図１に実線で示す状態）と、第１ポート（P1）と第４ポート（P4）が互いに連通して第２ポート（P2）と第３ポート（P3）が互いに連通する第２連通状態（図１に破線で示す状態）とが切換自在に構成されている。
【００４２】
第１四路切換弁（31）は、第１連通状態では、第１室内熱交換器（51）のガス側を圧縮機（14）の吐出側に連通させ、第２連通状態では、第１室内熱交換器（51）のガス側を圧縮機（14）の吸入側に連通させる。第１四路切換弁（31）は、第１室内熱交換器（51）に対して設けられている。
【００４３】
また、第２四路切換弁（32）は、第１連通状態では、第２室内熱交換器（52）のガス側を圧縮機（14）の吐出側に連通させ、第２連通状態では、第２室内熱交換器（52）のガス側を圧縮機（14）の吸入側に連通させる。第２四路切換弁（32）は、第２室内熱交換器（52）に対して設けられている。
【００４４】
また、第３四路切換弁（33）は、第１連通状態では、室外熱交換器（15）のガス側を圧縮機（14）の吐出側に連通させ、第２連通状態では、室外熱交換器（15）のガス側を圧縮機（14）の吸入側に連通させる。第３四路切換弁（33）は、室外熱交換器（15）に対して設けられている。
【００４５】
《室内ユニット》
室内ユニット（50）の室内回路（55）は、第１室内配管（55a）と第２室内配管（55b）とから構成されている。
【００４６】
第１室内配管（55a）は、一端が第１液側連絡配管（61）に接続され、他端が第１ガス側連絡配管（63）に接続されている。第１室内配管（55a）では、その液側端からガス側端へ向かって順に、開度可変の電子膨張弁により構成された第１室内膨張弁（53）と、クロスフィン式のフィン・アンド・チューブ型熱交換器により構成された第１室内熱交換器（51）とが設けられている。
【００４７】
第２室内配管（55b）は、一端が第２液側連絡配管（62）に接続され、他端が第２ガス側連絡配管（64）に接続されている。第２室内配管（55b）では、その液側端からガス側端へ向かって順に、開度可変の電子膨張弁により構成された第２室内膨張弁（54）と、クロスフィン式のフィン・アンド・チューブ型熱交換器により構成された第２室内熱交換器（52）とが設けられている。
【００４８】
室内ユニット（50）には、吸込口（図示省略）と吹出口（58）とが形成されている。室内ユニット（50）の内部には、吸込口から吹出口（58）へ向かう空気が流れる空気通路が形成されている。この空気通路には、室内ファン（56）が設けられている。また、この空気通路では、吸込口側から順番に、第２室内熱交換器（52）と第１室内熱交換器（51）とが配置されている。また、この空気通路には、第１室内熱交換器（51）の下流に、吹出口（58）へ向かう空気に水分を付与するための加湿装置（59）が設けられている。
【００４９】
室内ユニット（50）では、吸込口から吸い込まれた室内空気が、第２室内熱交換器（52）を通過する際に第２室内熱交換器（52）を流れる冷媒と熱交換を行い、さらに第１室内熱交換器（51）を通過する際に第１室内熱交換器（51）を流れる冷媒と熱交換を行う。そして、第１室内熱交換器（51）を通過した空気は、吹出口（58）から吹き出される。なお、加湿装置（59）の運転が行われている場合には、第１室内熱交換器（51）を通過した空気は、吹出口（58）の手前で加湿された後に、吹出口（58）から吹き出される。
【００５０】
《冷却ユニット》
冷却ユニット（70）は、冷却用配管（74）と第１バイパス配管（75）と第２バイパス配管（76）とを備えている。
【００５１】
冷却用配管（74）は、一端が第１液側連絡配管（61）の室外ユニット（10）側の配管（61a）に接続されている。冷却用配管（74）の他端は、第１配管（74a）と第２配管（74b）とに分岐している。第１配管（74a）は、第１液側連絡配管（61）の室内ユニット（50）側の配管（61b）に接続されている。第２配管（74b）は、第２液側連絡配管（62）の室内ユニット（50）側の配管（62b）に接続されている。第２配管（74b）には、室内ユニット（50）側へ向かう冷媒の流れを禁止する逆止弁（CV8）が設けられている。
【００５２】
冷却用配管（74）には、室内ユニット（50）側から順番に、クロスフィン式のフィン・アンド・チューブ型熱交換器により構成された冷却熱交換器（71）と、密閉容器状のレシーバ（72）とが設けられている。冷却熱交換器（71）とレシーバ（72）との間には、冷却熱交換器（71）側へ向かう冷媒の流れを禁止する逆止弁（CV7）が設けられている。また、冷却熱交換器（71）の近傍には、冷却熱交換器（71）に室外空気を送るための冷却用ファン（73）が設けられている。冷却熱交換器（71）では、冷媒と室外空気との間で熱交換が行われる。
【００５３】
第１バイパス配管（75）は、一端がレシーバ（72）の底部に接続され、他端が第１配管（74a）に接続されている。第１バイパス配管（75）には、レシーバ（72）側へ向かう冷媒の流れを禁止する逆止弁（CV9）が設けられている。
【００５４】
一方、第２バイパス配管（76）は、一端が第２液側連絡配管（62）の室外ユニット（10）側の配管（62a）に接続され、他端が第２配管（74b）に接続されている。第２バイパス配管（76）には、室外ユニット（10）側へ向かう冷媒の流れを禁止する逆止弁（CV10）が設けられている。
【００５５】
本実施形態では、第１吐出分岐管（35）と、第１吸入分岐管（45）と、第１四路切換弁（31）の第４ポート（P4）から第１室内熱交換器（51）のガス側までの配管とが、第１ライン（101）を構成している。第１ライン（101）は、第１四路切換弁（31）が第１連通状態に設定されると、第１室内熱交換器（51）のガス側を圧縮機（14）の吐出側に連通させる第１状態に切り換わり、第１四路切換弁（31）が第２連通状態に設定されると、第１室内熱交換器（51）のガス側を圧縮機（14）の吸入側に連通させる第２状態に切り換わる。
【００５６】
また、第２吐出分岐管（36）と、第２吸入分岐管（46）と、第２四路切換弁（32）の第４ポート（P4）から第２室内熱交換器（52）のガス側までの配管とが、第２ライン（102）を構成している。第２ライン（102）は、第２四路切換弁（32）が第１連通状態に設定されると、第２室内熱交換器（52）のガス側を圧縮機（14）の吐出側に連通させる第１状態に切り換わり、第２四路切換弁（32）が第２連通状態に設定されると、第２室内熱交換器（52）のガス側を圧縮機（14）の吸入側に連通させる第２状態に切り換わる。
【００５７】
また、第１室内熱交換器（51）の液側から第１液側閉鎖弁（28）までの配管と、第１液側閉鎖弁（28）から第５液管（25）を通るレシーバ（16）までの配管と、レシーバ（16）から第３液管（23）を通る第２液側閉鎖弁（29）までの配管と、第２液側閉鎖弁（29）から第２室内熱交換器（52）の液側までの配管とが、第３ライン（103）を構成している。
【００５８】
また、第３吐出分岐管（37）と、第３吸入分岐管（47）と、第３四路切換弁（33）の第３ポート（P3）から室外熱交換器（15）までの配管と、第１液管（21）と、第２液管（22）と、第４液管（24）とが、第４ライン（104）を構成している。第４ライン（104）は、第３四路切換弁（33）が第１連通状態に設定されると、室外熱交換器（15）のガス側を圧縮機（14）の吐出側に連通させる第１状態に切り換わり、第３四路切換弁（33）が第１連通状態に設定されると、室外熱交換器（15）のガス側を圧縮機（14）の吸入側に連通させる第２状態とに切り換わる。また、第４ライン（104）の室外膨張弁（41）は流量調節機構を構成している。
【００５９】
−運転動作−
次に、空気調和装置（1）の運転動作について説明する。この空気調和装置（1）は、冷房運転、暖房運転、および除湿運転を実行可能に構成されている。
【００６０】
〈冷房運転〉
冷房運転では、図２に示すように、第１四路切換弁（31）及び第２四路切換弁（32）が共に第２連通状態に設定され、第３四路切換弁（33）が第１連通状態に設定された状態で、圧縮機（14）の運転が行われる。冷房運転では、室外熱交換器（15）が凝縮器となって各室内熱交換器（51,52）が蒸発器となる蒸気圧縮冷凍サイクルが冷房動作として行われる。冷房運転では、室内熱交換器（51,52）の出口の冷媒の過熱度が所定の目標過熱度（例えば５℃）になるように、各室内膨張弁（53,54）の開度が調節される。
【００６１】
具体的に、冷房運転では、圧縮機（14）から吐出された冷媒が、室外熱交換器（15）で凝縮し、レシーバ（16）を通過した後に、中間熱交換器（17）において、インジェクション管（30）の中間圧の冷媒によって冷却される。中間熱交換器（17）で冷却された冷媒は、第１室内配管（55a）と第２室内配管（55b）とに分配される。各室内配管（55a,55b）では、室内膨張弁（53,54）で減圧された冷媒が、室内熱交換器（51,52）で室内空気から吸熱して蒸発する。冷媒によって冷却された室内空気は室内空間へ供給される。各室内熱交換器（51,52）で蒸発した冷媒は、合流した後に、圧縮機（14）に吸入されて再び吐出される。
【００６２】
冷房運転中の室内ユニット（50）では、室内ファン（56）によって吸込口から吸い込まれた空気が、第２室内熱交換器（52）と第１室内熱交換器（51）とで順番に冷却されて、吹出口（58）から吹き出される。各室内熱交換器（51,52）では、空気中の水分が取り除かれる。
【００６３】
室内ユニット（50）では、加湿装置（59）の運転を行う場合は、各室内熱交換器（51,52）で冷却されて除湿された後に加湿装置（59）で加湿された空気が、吹出口（58）から吹き出される。一方、加湿装置（59）の運転を停止する場合は、各室内熱交換器（51,52）で冷却されて除湿された空気が、そのまま吹出口（58）から吹き出される。
【００６４】
〈暖房運転〉
暖房運転では、図３に示すように、第１四路切換弁（31）及び第２四路切換弁（32）が共に第１連通状態に設定され、第３四路切換弁（33）が第２連通状態に設定された状態で、圧縮機（14）の運転が行われる。暖房運転では、各室内熱交換器（51,52）が凝縮器となって室外熱交換器（15）が蒸発器となる蒸気圧縮冷凍サイクルが暖房動作として行われる。暖房運転では、各室内膨張弁（53,54）の開度が適宜調節される。
【００６５】
具体的に、圧縮機（14）から吐出された冷媒は、第１室内配管（55a）と第２室内配管（55b）とに分配される。各室内配管（55a,55b）では、流入した冷媒が、各室内熱交換器（51,52）で室内空気に放熱して凝縮する。冷媒によって加熱された室内空気は室内空間へ供給される。各室内熱交換器（51,52）で凝縮した冷媒は、合流した後に、冷却用配管（74）の冷却熱交換器（71）において冷却用ファン（73）が送る空気によって冷却される。冷却熱交換器（71）で冷却された冷媒は、室外膨張弁（41）で減圧された後に室外熱交換器（15）で蒸発し、圧縮機（14）に吸入されて再び吐出される。
【００６６】
暖房運転中の室内ユニット（50）では、室内ファン（56）によって吸込口から吸い込まれた空気が、第２室内熱交換器（52）と第１室内熱交換器（51）とで順番に加熱されて、吹出口（58）から吹き出される。
【００６７】
室内ユニット（50）では、加湿装置（59）の運転を行う場合は、各室内熱交換器（51,52）で加熱された後に加湿装置（59）で加湿された空気が、吹出口（58）から吹き出される。一方、加湿装置（59）の運転を停止する場合は、各室内熱交換器（51,52）で加熱された空気が、そのまま吹出口（58）から吹き出される。
【００６８】
〈除湿運転〉
除湿運転では、図４及び図５に示すように、第１四路切換弁（31）が第１連通状態に設定されて第２四路切換弁（32）が第２連通状態に設定された状態で、圧縮機（14）の運転が行われる。除湿運転では、第１室内熱交換器（51）が凝縮器となって第２室内熱交換器（52）が蒸発器となる蒸気圧縮冷凍サイクルが除湿動作として行われる。除湿運転中は、加湿装置（59）の運転が停止される。除湿運転では、第２室内熱交換器（52）の出口の冷媒の過熱度が所定の目標過熱度（例えば５℃）になるように、第２室内膨張弁（54）の開度が調節される。
【００６９】
除湿運転では、室内の温度を上昇させる場合は、図４に示すように、第３四路切換弁（33）が第２連通状態に設定される。この場合、圧縮機（14）から吐出された冷媒が、第１室内熱交換器（51）で凝縮し、冷却用配管（74）の冷却熱交換器（71）において冷却用ファン（73）が送る空気によって冷却される。冷却熱交換器（71）で冷却された冷媒は、冷却用ユニット（70）のレシーバ（72）と室外ユニット（10）のレシーバ（16）を経て、一部が室外熱交換器（15）に向かい、残りが第２室内熱交換器（52）に向かう。
【００７０】
そして、室外熱交換器（15）に向かった冷媒は、室外膨張弁（41）で減圧された後に、室外熱交換器（15）において室外空気から吸熱して蒸発する。一方、第２室内熱交換器（52）に向かった冷媒は、中間熱交換器（17）においてインジェクション管（30）の中間圧の冷媒によって冷却され、第２室内膨張弁（54）で減圧された後に、第２室内熱交換器（52）において室内空気から吸熱して蒸発する。室外熱交換器（15）で蒸発した冷媒と、第２室内熱交換器（52）で蒸発した冷媒とは、合流した後に、圧縮機（14）に吸入されて再び吐出される。
【００７１】
室内ユニット（50）では、室内ファン（56）によって吸込口から吸い込まれた空気が、第２室内熱交換器（52）で冷却されて除湿された後に、第１室内熱交換器（51）で加熱されて、吹出口（58）から吹き出される。第３四路切換弁（33）が第２連通状態に設定される場合は、凝縮器となる第１室内熱交換器（51）の方が蒸発器となる第２室内熱交換器（52）よりも冷媒流量が多くなる。このため、第１室内熱交換器（51）における放熱量の方が第２室内熱交換器（52）における吸熱量よりも多くなり、吸込口から吸い込まれた空気は、その温度が上昇して、吹出口（58）から吹き出される。室外膨張弁（41）は、吹出口（58）から室内へ供給する空気の温度を高くする場合（例えば、室内の温度を計測する温度センサの計測値が設定温度よりも低く、その差が大きい場合）ほど、第１室内熱交換器（51）における放熱量と第２室内熱交換器（52）における吸熱量との差が大きくなるように、大きい開度に調節される。
【００７２】
また、除湿運転では、室内の温度を低下させる場合は、図５に示すように、第３四路切換弁（33）が第１連通状態に設定される。この場合は、圧縮機（14）から吐出された冷媒が、第１室内熱交換器（51）と室外熱交換器（15）とに分配される。第１室内熱交換器（51）に分配された冷媒は、第１室内熱交換器（51）で凝縮した後に、冷却用配管（74）の冷却熱交換器（71）において冷却用ファン（73）が送る空気によって冷却される。冷却熱交換器（71）で冷却された冷媒は、冷却ユニット（70）のレシーバ（72）を経て、室外ユニット（10）のレシーバ（16）に流入する。一方、室外熱交換器（15）に分配された冷媒は、室外熱交換器（15）で凝縮した後に、室外ユニット（10）のレシーバ（16）に流入する。
【００７３】
そして、レシーバ（16）の底部から流出した冷媒は、中間熱交換器（17）においてインジェクション管（30）の中間圧の冷媒によって冷却され、第２室内膨張弁（54）で減圧された後に、第２室内熱交換器（52）において室内空気から吸熱して蒸発する。第２室内熱交換器（52）で蒸発した冷媒は、圧縮機（14）に吸入されて再び吐出される。
【００７４】
室内ユニット（50）では、第３四路切換弁（33）が第２連通状態に設定される場合と同様に、室内ファン（56）によって吸込口から吸い込まれた空気が、第２室内熱交換器（52）で冷却されて除湿された後に、第１室内熱交換器（51）で加熱されて、吹出口（58）から吹き出される。第３四路切換弁（33）が第１連通状態に設定される場合は、凝縮器となる第１室内熱交換器（51）よりも蒸発器となる第２室内熱交換器（52）の方が冷媒流量が多くなる。このため、第１室内熱交換器（51）における放熱量よりも第２室内熱交換器（52）における吸熱量の方が多くなり、吸込口から吸い込まれた空気は、その温度が低下して、吹出口（58）から吹き出される。室外膨張弁（41）は、吹出口（58）から室内へ供給する空気の温度を低くする場合（例えば、室内の温度を計測する温度センサの計測値が設定温度よりも高く、その差が大きい場合）ほど、第２室内熱交換器（52）における吸熱量と第１室内熱交換器（51）における放熱量との差が大きくなるように、大きい開度に調節される。
【００７５】
また、除湿運転では、室内の温度を維持する場合は、室外熱交換器（15）に冷媒が流通しないように、電磁弁（SV2）と室外膨張弁（41）が閉鎖される。
【００７６】
〈デフロスト運転〉
冷房運転や除湿運転では、各室内熱交換器（51,52）に付着した氷を融解させるために、デフロスト運転が行われる。デフロスト運転は、例えば、室内熱交換器（51,52）の表面の温度を計測する温度センサの計測値が所定の判定値を下回る場合に行われる。
【００７７】
冷房運転中は、氷を融解させる必要があると判断された室内熱交換器（51,52）に対して設けた四路切換弁（31,32）が、第２連通状態から第１連通状態に切り換えられる。これにより、氷が付着した室内熱交換器（51,52）に、圧縮機（14）から吐出された高圧の冷媒が導入され、その室内熱交換器（51,52）に付着した氷が融解する。
【００７８】
冷房運転中は、両方の室内熱交換器（51,52）に対して、氷を融解させる必要があると判断された場合であっても、氷の融解は片方の室内熱交換器（51,52）ずつ行われる。つまり、一方の室内熱交換器（51,52）に対して設けた四路切換弁（31,32）がまず第２連通状態から第１連通状態に切り換えられ、その一方の室内熱交換器（51,52）に付着した氷の融解が終了すると、第１連通状態に切り換えられた四路切換弁（31,32）が第２連通状態に戻され、もう片方の室内熱交換器（51,52）に対して設けた四路切換弁（31,32）が第２連通状態から第１連通状態に切り換えられる。
【００７９】
また、除湿運転中は、室内の除湿を継続する必要があると判断された場合（例えば室内の湿度を計測する湿度センサの計測値が目標湿度より高く、その差が所定値以上の場合）には、氷融解除湿動作が行われる。氷融解除湿動作では、図６に示すように、第１四路切換弁（31）が第２連通状態に設定されると共に第２四路切換弁（32）が第１連通状態に設定され、第２室内熱交換器（52）が凝縮器として動作して第１室内熱交換器（51）が蒸発器として動作する冷凍サイクルが行われる。この場合、室内ファン（56）によって吸込口から吸い込まれた空気は、第２室内熱交換器（52）の氷を融解した後に、第１室内熱交換器（51）で除湿されて、吹出口（58）から吹き出される。
【００８０】
また、除湿運転中において、例えば湿度センサの計測値が目標湿度に近い場合や、湿度センサの計測値が目標湿度を下回る場合には、第１四路切換弁（31）は、第１連通状態に維持される。この場合、室内ファン（56）によって吸込口から吸い込まれた空気は、第２室内熱交換器（52）の氷を融解した後に、第１室内熱交換器（51）で加熱されて、吹出口（58）から吹き出される。
【００８１】
−実施形態１の効果−
本実施形態１では、除湿動作中に、室外熱交換器（15）の冷媒の流通状態を調節することで、第１室内熱交換器（51）の冷媒流量と第２室内熱交換器（52）の冷媒流量とのバランスが調節され、第１室内熱交換器（51）における放熱量と第２室内熱交換器（52）における吸熱量とのバランスが調節されて、吹出口（58）から室内へ供給する空気の温度が調節されるようにしている。従って、室内熱交換器（51,52）を通過する空気の風量を調節する必要がないので、室内へ供給する空気の風量を変化させることなく、室内へ供給する空気の温度を調節することが可能になる。
【００８２】
また、本実施形態１では、室外熱交換器（15）の冷媒の流通状態を調節するだけで、室内へ供給する空気の温度を調節することができる。従って、２つの制御対象を連動させる従来の空気調和装置に比べて、室内へ供給する空気の温度の調節を容易化することができる。
【００８３】
また、本実施形態１によれば、除湿動作中に第３四路切換弁（33）を調節することで、第１室内熱交換器（51）における放熱量が第２室内熱交換器（52）における吸熱量よりも多くなるように調節することと、第１室内熱交換器（51）における放熱量が第２室内熱交換器（52）における吸熱量よりも少なくなるように調節することの両方が可能になるようにしている。従って、除湿動作中の室内ユニット（50）内では、吹出口（58）へ向かう空気の温度を上昇させることも低下させることも可能であるため、除湿動作中に室内へ供給する空気の温度の調節幅を拡大することができる。
【００８４】
また、本実施形態１では、室内の除湿を継続する必要がある場合には、除湿動作において第２室内熱交換器（52）に付着した氷を融解させるために、ただ単に第２四路切換弁（32）を第１連通状態に切り換えるだけでは、室内空気を除湿する役割の蒸発器が室内ユニット（50）に存在しない状態になるので、さらに第１四路切換弁（31）を第２連通状態に切り換えて、第１室内熱交換器（51）が蒸発器として動作するようにしている。このため、除湿動作中に第２室内熱交換器（52）に付着した氷を融解させる場合であっても、室内の除湿を継続することが可能である。
【００８５】
また、本実施形態１によれば、除湿動作中に、第１室内熱交換器（51）で冷却された冷媒が、冷却熱交換器（71）で室外空気によってさらに冷却される。冷却熱交換器（71）では冷媒の冷却に伴って冷媒の体積が減少するので、冷凍サイクルの高圧圧力が増大することが抑制される。従って、室内空気の温度に影響を与えることなく、安定した冷凍サイクルを行うことが可能である。
【００８６】
また、本実施形態１では、第１四路切換弁（31）と第２四路切換弁（32）が、同一の室外ユニット（10）に設けられているので、室内ユニット（50）の制御上便利である上に、配線等を簡素化することができる。さらに、第１四路切換弁（31）および第２四路切換弁（32）が、室内ユニット（50）ではなく、圧縮機（14）がある室外ユニット（10）に配置されているので、配管長を短くすることができる。
【００８７】
《発明の実施形態２》
本発明の実施形態２について説明する。本実施形態２は、本発明に係る空気調和装置（1）である。以下では、実施形態１と異なる点について説明する。
【００８８】
この空気調和装置（1）は、図７に示すように、第１液側連絡配管（61）および第１ガス側連絡配管（63）の途中に第１ブースタユニット（80a）が設けられ、第２液側連絡配管（62）および第２ガス側連絡配管（64）の途中に第２ブースタユニット（80b）が設けられている。第１ブースタユニット（80a）は第１室内熱交換器（51）に対して設けられ、第２ブースタユニット（80b）は第２室内熱交換器（52）に対して設けられている。
【００８９】
第１ブースタユニット（80a）と第２ブースタユニット（80b）は同じ構成である。各ブースタユニット（80a,80b）は、ブースタ側ガス配管（90a,90b）とブースタ側液配管（91a,91b）とを備えている。
【００９０】
ブースタ側ガス配管（90a,90b）には、低段側圧縮機（81a,81b）が設けられている。ブースタ側ガス配管（90a,90b）には、低段側圧縮機（81a,81b）をバイパスするブースタ側バイパス管（93a,93b）が接続されている。ブースタ側バイパス管（93a,93b）には、開閉自在の電磁弁（SV4,SV5）が設けられている。
【００９１】
ブースタ側液配管（91a,91b）には、室外ユニット（10）側から順番に、逆止弁（CV11,21）と、密閉容器状のブースタ側レシーバ（82a,82b）と、ブースタ側中間熱交換器（83a,83b）と、逆止弁（CV12,22）とが設けられている。逆止弁（CV11,21）及び逆止弁（CV12,22）は、共に室外ユニット（10）側へ向かう冷媒の流れを禁止する。
【００９２】
ブースタ側液配管（91a,91b）からは、ブースタ側インジェクション管（92a,92b）が分岐している。ブースタ側インジェクション管（92a,92b）は、低段側圧縮機（81a,81b）における圧縮過程の途中の中間圧の圧縮室に接続されいる。ブースタ側インジェクション管（92a,92b）には、開度可変の電子膨張弁により構成されたブースタ側膨張弁（84a,84b）と、開閉自在の電磁弁（SV6,SV7）とが設けられている。
【００９３】
ブースタ側中間熱交換器（83a,83b）は、ブースタ側液配管（91a,91b）とブースタ側インジェクション管（92a,92b）とに跨るように設けられている。ブースタ側中間熱交換器（83a,83b）は、第１流路を流通する冷媒と第２流路を流通する冷媒とを熱交換させるように構成されている。ブースタ側中間熱交換器（83a,83b）は、例えばプレート式の熱交換器により構成されている。ブースタ側中間熱交換器（83a,83b）では、第１流路がブースタ側液配管（91a,91b）に接続され、第２流路がブースタ側インジェクション管（92a,92b）におけるブースタ側膨張弁（84a,84b）と低段側圧縮機（81a,81b）の間に接続されている。ブースタ側中間熱交換器（83a,83b）における熱交換では、ブースタ側液配管（91a,91b）の高圧の冷媒がブースタ側インジェクション管（92a,92b）の中間圧の冷媒によって冷却される。
【００９４】
また、ブースタ側液配管（91a,91b）からは、第１ブースタ側分岐管（94a,94b）と、第２ブースタ側分岐管（95a,95b）と、第３ブースタ側分岐管（96a,96b）が分岐している。第１ブースタ側分岐管（94a,94b）は、逆止弁（CV11,21）の下流と逆止弁（CV12,22）の下流とを接続している。第１ブースタ側分岐管（94a,94b）には、室内ユニット（50）側へ向かう冷媒の流れを禁止する逆止弁（CV13,23）が設けられている。第２ブースタ側分岐管（95a,95b）は、ブースタ側中間熱交換器（83a,83b）の下流と逆止弁（CV11,21）の上流とを接続している。第２ブースタ側分岐管（95a,95b）には、室外ユニット（10）側へ向かう冷媒の流れだけを許容する逆止弁（CV14,24）が設けられている。第３ブースタ側分岐管（96a,96b）は、ブースタ側ガス配管（90a,90b）における低段側圧縮機（81a,81b）の下流とブースタ側液配管（91a,91b）における逆止弁（CV11,21）の上流とを接続している。第３ブースタ側分岐管（96a,96b）には、ブースタ側液配管（91a,91b）側へ向かう冷媒の流れを禁止する逆止弁（CV13,23）が設けられている。
【００９５】
この空気調和装置（1）は、実施形態１と同様に、冷房運転、暖房運転、および除湿運転を実行可能に構成されている。各運転における室外ユニット（10）及び室内ユニット（50）における冷媒の流れは、基本的には、実施形態１と同様である。
【００９６】
ただし、本実施形態２では、各室内熱交換器（51,52）における冷媒の蒸発温度が実施形態１に比べて低い温度に設定される。各室内熱交換器（51,52）における冷媒の蒸発温度は、例えば−４０℃に設定される。
【００９７】
各ブースタユニット（80a,80b）では、対応する室内熱交換器（51,52）が凝縮器となる場合には、電磁弁（SV4,SV5）を開状態に設定して、低段側圧縮機（81a,81b）の運転が停止される。
【００９８】
図８に示すように、第１室内熱交換器（51）が凝縮器となる場合、第１室内熱交換器（51）には、ブースタ側バイパス管（93a）を通った冷媒が導入される。そして、第１室内熱交換器（51）で凝縮した冷媒は、ブースタ側液配管（91a）を通って、室外回路（11）に流入する。
【００９９】
また、各ブースタユニット（80a,80b）では、対応する室内熱交換器（51,52）が蒸発器となる場合には、電磁弁（SV4,SV5）を閉状態に設定して、低段側圧縮機（81a,81b）の運転が行われる。
【０１００】
図８に示すように、第２室内熱交換器（52）が蒸発器となる場合、第２室内熱交換器（52）には、ブースタ側液配管（91b）を通った冷媒が導入される。第２室内熱交換器（52）に導入される冷媒は、ブースタ側液配管（91b）を通る際に、ブースタ側中間熱交換器（83b）において、ブースタ側インジェクション管（92b）の中間圧の冷媒によって冷却され、さらに第２室内膨張弁（54）を通る際に減圧される。第２室内熱交換器（52）では、導入された冷媒が室内空気から吸熱して蒸発する。第２室内熱交換器（52）で蒸発した冷媒は、低段側圧縮機（81b）に吸入されて圧縮される。低段側圧縮機（81b）で圧縮された冷媒は、室外ユニット（10）の圧縮機（14）に吸入される。そして、図８に示すように、室外熱交換器（15）が蒸発器となる場合は、低段側圧縮機（81b）で圧縮された冷媒は、室外熱交換器（15）で蒸発した冷媒と合流して、室外ユニット（10）の圧縮機（14）に吸入される。なお、図８は除湿運転中の冷媒の流れを表している。
【０１０１】
《その他の実施形態》
上記実施形態については、以下のような構成としてもよい。
【０１０２】
上記実施形態について、室内ユニット（50）において、第１室内熱交換器（51）と第２室内熱交換器（52）とが別々の空気通路に配置されていてもよい。この場合、室内ファン（56）によって吸込口から吸い込まれた空気は、第１室内熱交換器（51）側の空気通路と第２室内熱交換器（52）側の空気通路に分かれ、それぞれの空気通路で室内熱交換器（51,52）で温度調節された後に合流して、吹出口（58）から吹き出される。
【０１０３】
また、上記実施形態について、冷媒回路（20）が、冷凍サイクルの高圧が冷媒の臨界圧力よりも高い値に設定される超臨界サイクルを行うように構成されていてもよい。この場合、冷凍サイクルの高圧が冷媒の臨界圧力よりも低い値に設定される通常の冷凍サイクルでは凝縮器となる熱交換器が、ガスクーラとして動作する。冷媒としては、例えば二酸化炭素が用いられる。
【０１０４】
なお、以上の実施形態は、本質的に好ましい例示であって、本発明、その適用物、あるいはその用途の範囲を制限することを意図するものではない。
【産業上の利用可能性】
【０１０５】
以上説明したように、本発明は、第１室内熱交換器及び第２室内熱交換器が同一の室内ユニットに設けられて、第１室内熱交換器が放熱器として動作して第２室内熱交換器が蒸発器として動作する冷凍サイクルを行う空気調和装置について有用である。
【図面の簡単な説明】
【０１０６】
【図１】図１は、本発明の実施形態１に係る空気調和装置の冷媒回路図である。
【図２】図２は、実施形態１の空気調和装置の冷房運転時における冷媒の流れを表す冷媒回路図である。
【図３】図３は、実施形態１の空気調和装置の暖房運転時における冷媒の流れを表す冷媒回路図である。
【図４】図４は、実施形態１の空気調和装置の除湿運転時において、室外熱交換器が蒸発器となる場合の冷媒の流れを表す冷媒回路図である。
【図５】図５は、実施形態１の空気調和装置の除湿運転時において、室外熱交換器が凝縮器となる場合の冷媒の流れを表す冷媒回路図である。
【図６】図６は、実施形態１の空気調和装置の除湿運転時において、氷融解除湿動作を行う場合の冷媒の流れを表す冷媒回路図である。
【図７】図７は、本発明の実施形態２に係る空気調和装置の冷媒回路図である。
【図８】図８は、実施形態２の空気調和装置の除湿運転時において、室外熱交換器が蒸発器となる場合の冷媒の流れを表す冷媒回路図である。
【符号の説明】
【０１０７】
1     空気調和装置
10    室外ユニット
20    冷媒回路
14    圧縮機
15    室外熱交換器
31    第１四路切換弁（第１切換手段）
32    第２四路切換弁（第２切換手段）
33    第３四路切換弁
50    室内ユニット
51    第１室内熱交換器
52    第２室内熱交換器
101   第１ライン
102   第２ライン
103   第３ライン
104   第４ライン
【図１】
2010156513.tif 000003
【図２】
2010156513.tif 000004
【図３】
2010156513.tif 000005
【図４】
2010156513.tif 000006
【図５】
2010156513.tif 000007
【図６】
2010156513.tif 000008
【図７】
2010156513.tif 000009
【図８】
2010156513.tif 000010